(57)【要約】【課題】  撮影ユニットへのファイババンドルの接続の忘れを抑制することができ、ファイババンドルを取り外しても、撮影ユニット内部への埃の侵入を抑制することのできる手持ち式の眼底カメラを提供する。【解決手段】  被検眼眼底を観察するための照明光を照射する照明光源を内蔵する撮影ユニットと、撮影ユニットとは別に設けられ撮影時のフラッシュ光を照射するためのフラッシュ光源を内蔵するフラッシュ光源部と、フラッシュ光源からのフラッシュ光を撮影ユニットの光学系に導光するためのファイバ部材と、撮影される被検眼眼底像を表示する表示手段と、撮影ユニットに設けられファイバ部材の先端部を撮影ユニットに着脱可能とする着脱機構部と、着脱機構部にファイバ部材の先端部が接続されているか否かを検出する検出部と、検出部の検出結果に基づいてファイバ部材の接続の有無の少なくともどちらか一方の情報を報知する報知手段と、を備える。【選択図】      図３
2006212102.tif 000002
【特許請求の範囲】
【請求項１】
被検眼眼底を撮影する手持ち式の眼底カメラにおいて、被検眼眼底を観察するための照明光を照射する照明光源を有するとともに，前記被検眼眼底の観察及び撮影を行うための光学系を内蔵する撮影ユニットと、該撮影ユニットとは別に設けられ撮影時のフラッシュ光を照射するためのフラッシュ光源を内蔵するフラッシュ光源部と、該フラッシュ光源からのフラッシュ光を前記撮影ユニットの前記光学系に導光するためのファイバ部材と、前記光学系にて撮影される被検眼眼底像を表示する表示手段と、前記撮影ユニットに設けられ前記ファイバ部材の先端部を前記撮影ユニットに着脱可能とする着脱機構部と、前記撮影ユニットに設けられ前記着脱機構部に前記ファイバ部材の先端部が接続されているか否かを検出する検出部と、該検出部の検出結果に基づいて前記ファイバ部材の接続の有無の少なくともどちらか一方の情報を報知する報知手段と、を備えることを特徴とする手持ち式眼底カメラ。
【請求項２】
請求項１の眼底カメラにおいて、前記着脱機構部は前記ファイバ部材が前記撮影ユニットに接続されていないときに前記撮影ユニットのファイバ接続用に設けられた取付孔を塞ぐ開閉可能なシャッタを有するとともに、前記検出部は該シャッタの開閉を検出することにより前記ファイバ部材の接続の有無を検出することを特徴とする手持ち式眼底カメラ。
【請求項３】
請求項１の眼底カメラにおいて、前記報知手段は前記表示手段の表示画面に被検眼像と合わせて前記ファイバ部材の接続の有無の少なくともどちらか一方の情報を表示することを特徴とする手持ち式眼底カメラ。
【発明の詳細な説明】
【技術分野】
【０００１】
本発明は、被検眼眼底を撮影する手持ち式眼底カメラに関する。
【背景技術】
【０００２】
従来、被検眼眼底を撮影する手持ち式の眼底カメラが知られている。この手持ち式眼底カメラは、できるだけ小型、軽量化させるために、被検眼眼底を観察するための照明光を照射する照明光源は撮影ユニットに内蔵させ、撮影用のフラッシュ光を発するための光源は撮影ユニットとは別の筐体に設け、フラッシュ光をファイババンドルを介して撮影ユニットに導光する構成としている（特許文献１参照）。このような手持ち式眼底カメラにて被検眼眼底像を撮影する場合には、照明光源から照射される赤外光により照明された被検眼眼底を観察しながら所望する位置に撮影ユニットを位置させた後、可視域の波長を発するフラッシュ光を用いて被検眼眼底を撮影する。このファイババンドルは、利便性や保守の容易さから、撮影ユニットに工具なしで簡単に着脱することができるようになっている。
【特許文献１】特開２００４−１２１４３６号公報
【発明の開示】
【発明が解決しようとする課題】
【０００３】
特許文献１に開示されるような手持ち式眼底カメラでは、撮影ユニットにフラッシュ光を導光するファイババンドルが接続されていなくとも、撮影ユニットに設けられている照明光源の照明光によって被検眼眼底の観察は行える。このため、撮影時（フラッシュ光点灯時）まで撮影ユニットにファイババンドルが接続されていないことが気がつかない場合がある。このような場合、フラッシュ光を導光するファイババンドルをあらためて撮影ユニットに接続した後、撮影動作を最初から行うこととなってしまう。また、撮影ユニットからファイバーを取り外した状態では、撮影ユニットに設けられたファイババンドルの取付孔が剥き出しとなり、撮影ユニット内部に埃が侵入し、内部の光学部品が汚れやすいという問題もある。
上記従来技術の問題点に鑑み、撮影ユニットへのファイババンドルの接続の忘れを抑制することができる手持ち式の眼底カメラの提供、さらには撮影ユニットからファイババンドルを取り外しても、撮影ユニット内部への埃の侵入を抑制することのできる手持ち式の眼底カメラを提供することを技術課題とする。
【課題を解決するための手段】
【０００４】
上記課題を解決するために、本発明は以下のような構成を備えることを特徴とする。
（１）  被検眼眼底を撮影する手持ち式の眼底カメラにおいて、被検眼眼底を観察するための照明光を照射する照明光源を有するとともに，前記被検眼眼底の観察及び撮影を行うための光学系を内蔵する撮影ユニットと、該撮影ユニットとは別に設けられ撮影時のフラッシュ光を照射するためのフラッシュ光源を内蔵するフラッシュ光源部と、該フラッシュ光源からのフラッシュ光を前記撮影ユニットの前記光学系に導光するためのファイバ部材と、前記光学系にて撮影される被検眼眼底像を表示する表示手段と、前記撮影ユニットに設けられ前記ファイバ部材の先端部を前記撮影ユニットに着脱可能とする着脱機構部と、前記撮影ユニットに設けられ前記着脱機構部に前記ファイバ部材の先端部が接続されているか否かを検出する検出部と、該検出部の検出結果に基づいて前記ファイバ部材の接続の有無の少なくともどちらか一方の情報を報知する報知手段と、を備えることを特徴とする。
（２）  （１）の眼底カメラにおいて、前記着脱機構部は前記ファイバ部材が前記撮影ユニットに接続されていないときに前記撮影ユニットのファイバ接続用に設けられた取付孔を塞ぐ開閉可能なシャッタを有するとともに、前記検出部は該シャッタの開閉を検出することにより前記ファイバ部材の接続の有無を検出することを特徴とする。
（３）  （１）の眼底カメラにおいて、前記報知手段は前記表示手段の表示画面に被検眼像と合わせて前記ファイバ部材の接続の有無の少なくともどちらか一方の情報を表示することを特徴とする。
【発明の効果】
【０００５】
本発明によれば、手持ち式の眼底カメラにおいて、撮影ユニットへのファイババンドルの接続の忘れを抑制することができる。また、撮影ユニットからファイババンドルを取り外しても、撮影ユニット内部への埃の侵入を抑制することができる。
【発明を実施するための最良の形態】
【０００６】
以下、本発明の実施形態を図面に基づいて説明する。図１は本発明に係る手持ち式の眼底カメラの概略構成を示す図である。
実施形態の眼底カメラは、手持ち操作に適する筐体に観察や撮影のための光学系を収納した撮影ユニット部１、撮影ユニット部１を制御するとともに撮影用光源が配置されたコントロールユニット部２に大別構成されている。撮影ユニット部１の光学系が収納された本体部１ａの下には、手で持つ部分となる把持部１ｂが設けられている。また、コントロールユニット部２にはタッチパネル機能が設けられたカラーのモニタ３が設けられている。コントロールユニット部２の撮影用フラッシュ光源からの照明光は、導光部材であるファイババンドル４を介して撮影ユニット部１内の光学系に導光される。なお、ファイババンドル４の先端部には、撮影ユニット部１及びコントロールユニット部２に着脱可能とするための取付部材５０が被せられており、撮影ユニット部１及びコントロールユニット部２に設けられている着脱機構部に工具無しで簡単に着脱することができるようになっている（図３参照）。また、５は撮影ユニット部１に取り付けられたファイババンドル４を取り外すためのノブである。
６は撮影ユニット部１とコントロールユニット部２とを電気的に接続するケーブルであり、撮影ユニット１にて撮影した被検眼の眼底像の画像データは、ケーブル６を介してコントロールユニット部２に送られ、モニタ３に表示されるようになっている。
【０００７】
図２は眼底カメラの光学系を示す図である。光学系は、観察照明光学系、撮影照明光学系、観察・撮影光学系、固視標呈示光学系からなる。
＜観察照明光学系＞  １１は赤外発光ダイオード等の観察用照明光源である、１２は拡散板、１３はダイクロイックミラーであり、ダイクロイックミラー１３は赤外光を反射するとともに、撮影用の可視光を透過する特性を持つ。１４はコンデンサレンズ、１５はスリット板であり、中心部にピンホール開口と光軸を中心としたリングスリット開口を備えている。１６は投光レンズ、１７はハーフミラーである。１９は黒色吸収体であり、ハーフミラー１７を透過した照明光束を吸収することにより、観察・撮影光学系に不要なノイズ光が入射することを防止する。１８は被検眼を示す。
【０００８】
＜撮影照明光学系＞  コントロールユニット部２には、撮影用の可視域のフラッシュ光を発するフラッシュ光源３１、コンデンサレンズ３２が設けられており、撮影用の照明光束はファイババンドル４を介して撮影ユニット部１に導光される。撮影ユニット部１内の撮影照明光学系は、観察照明光学系のダイクロイックミラー１３からハーフミラー１７までの光路を共用する。
【０００９】
＜観察・撮影光学系＞  ２１は対物レンズ、２２は被検眼１８の瞳孔と共役になる位置に配置された撮影絞りである。２３はフォーカシングレンズであり、被検眼の屈折力に合わせての調整を行うために、図示なきレンズ移動機構により光軸方向に移動可能である。２４は結像レンズ、２５はダイクロイックミラーである。ダイクロイックミラー２５は赤外光及び可視光の一部を反射させ、可視光の大部分を透過させる特性を備える。２６は撮影用のＣＣＤカメラである。２７は光路を延長するためのリレーレンズ、２８はハーフミラー、２９は観察用の撮像手段としての赤外ＣＣＤカメラである。
【００１０】
＜固視標呈示光学系＞  ハーフミラー２８の透過方向には、固視標としてのＬＥＤ３５が配置されている。固視標呈示光学系はハーフミラー２８を介して、ダイクロイックミラー２５から対物レンズ２１までの光路を共用する。ＬＥＤ３５は、レバー３６の操作により、ＣＣＤカメラ２９の撮像面（すなわち、被検眼眼底）と略共役な平面内で移動可能な構成とされている。検者は、レバー３６を移動操作することにより、被検眼眼底を所望する撮影位置に誘導できる。
【００１１】
図３は、ファイババンドル４を取り付け、取り外しを行うために撮影ユニット部１内部に設けられた着脱機構を説明する図である。
ノブ５は図３（ａ）に示すように、Ｌ字型の長板形状からなり、折れ曲がった部分（鉤の部分）が撮影ユニット１（本体部１ａ）の筐体外に出ている状態で、図示する矢印方向に移動可能に撮影ユニット１に取り付けられている。６０はバネ部材であり、その一端６１が撮影ユニット１に固着され、他端６２がノブ５に固着されている。
【００１２】
５０はファイババンドル４の先端に取り付けられ（被せられ）、ファイババンドル４を撮影ユニット部１に取り付けるための取付部材である。なお、取付部材５０の先端はテーパ５０ａを有しており、さらにそのテーパ５０ａより中ほどには、ノブ５の先端５ａと嵌合するための凹部５１が設けられている。６３はシャッタであり、撮影ユニット部１の底部に設けられた取付孔７０からの埃の侵入を抑制する役目を有する。シャッタ６３は撮影ユニット部１の内壁に開閉可能に取り付けられているとともに、ファイババンドル４が撮影ユニット部１に取り付けられていないときは、図３（ａ）に示すように、バネ６３ａの付勢力によって取付孔７０を内側から塞いでいる。
【００１３】
６４はリミットスイッチであり、ファイババンドル４が撮影ユニット部１に接続されているか否かを検出する役目を有する。リミットスイッチ６４は、シャッタ６３の開閉に伴いＯＮ／ＯＦＦ可能な位置に設置されている。本実施形態では、図３（ａ）に示すように、シャッタ６３が取付孔７０を塞いでいるときに、シャッタ６３がリミットスイッチ６４を押し（リミットスイッチＯＮ）、シャッタ６３が開いているときには、シャッタ６３がリミットスイッチ６４を押さない（リミットスイッチＯＦＦ）状態となる。
【００１４】
ファイババンドル４を取り付ける場合には、ファイババンドル４（取付部材５０）の先端にてシャッタ６３を押しながら取付孔７０から挿入させる。一方、バネ部材６０の付勢力が無い状態では、ノブ５の先端５ａは、取付部材５０のテーパ５０ａに当接する位置に置かれている。ファイババンドル４の挿入により、ノブ５の先端５ａは、テーパ５０ａに沿って図示する矢印方向に引き出された後、バネ部材６０の付勢力により取付部材５０の凹部５１に嵌合する。このような動作によって図３（ｂ）に示すように、ファイババンドル４が撮影ユニット部１に固定保持されることとなる。ファイババンドル４を撮影ユニット部１から取り外すときは、ノブ５を引き出して先端５ａを凹部５１から外した状態にてファイババンドル４を撮影ユニット部１から抜き出せばよい。なお、ファイババンドル４が撮影ユニット部１からファイババンドル４が取り外されると、シャッタ６３はバネ６３ａの付勢力によって閉じられ、リミットスイッチ６４をＯＮするとともに取付孔７０を塞ぐこととなる。
【００１５】
図４は本実施形態の眼底カメラの制御系ブロック図を示す。４０はコントロールユニット部２に設けられた制御部であり、本実施形態の眼底カメラの動作制御を行う役目を果たす。制御部４０には、光源１１、ＣＣＤカメラ２６、ＣＣＤカメラ２６、フラッシュランプ３１、モニタ３の表示を制御する役目を果たす表示制御部４１、撮影スイッチ４２、記憶部４３、リミットスイッチ６４等が接続されている。なお、光源１１、ＣＣＤカメラ２６、ＣＣＤカメラ２６、撮影スイッチ４２、リミットスイッチ６４の信号は、図１に示したケーブル６によりコントロールユニット部２側に設けられた制御部４０に送られる。
【００１６】
以上のような構成を持つ眼底カメラにおいて、以下にその動作を説明する。
眼底カメラの図示なき電源スイッチを押し、装置を起動させる。被検眼の観察時には光源１１を点灯する。光源１１の点灯により赤外光により照明された被検眼は、ＣＣＤカメラ２９により撮像される。その画像データは、ケーブル６によりコントロールユニット部２側に送られ、制御部４０及び表示制御部４１を介してモニタ３に表示される。最初は被検眼の前眼部像が映し出される。その画像を観察しながら、撮影ユニット部１の作動距離を調整するように近づけていくと、眼底像が映し出されるようになる。作動距離の調整後、被検眼の屈折力により眼底像がボケるときは、フォーカシングレンズ２３を移動させ、眼底のピントが合うようにする。ピント合わせは、スプリット輝線などの周知のフォーカス指標を使用する構成でも良い。
【００１７】
なお、被検眼の観察時（装置の電源投入時）にフラッシュ光を撮影ユニット部１に導光するためのファイババンドル４が、撮影ユニット１に取り付けられていない場合、図３（ａ）に示すような状態であり、このときリミットスイッチ６４はＯＮとなっている。リミットスイッチ６４の信号は、ケーブル６を介して制御部４０に送られる。リミットスイッチ６４の信号を受け取ると、制御部４０は表示制御部４１にファイババンドル４が撮影ユニット部１に取り付けられていない旨の信号を送る。ファイババンドル４が取り付けられていない旨の信号を受け取ると、表示制御部４１は図５に示すように、モニタ３の表示画面に「Flash NG」の文字情報８０を前眼部像や眼底像等の被検眼像とともに表示する。検者はモニタ３の画面を常に見ているので、画面に文字情報８０が表示されることにより、ファイババンドル４が撮影ユニット１に取り付けられていないことが認識できる。なお、本実施形態では、モニタ３の画面に「Flash NG」の文字情報を表示するものとしているが、これに限るものではなく、別の文字や記号、図形等、ファイババンドル４が取り付けられていない旨の情報が判るものであればよい。
【００１８】
ファイババンドル４を前述した方法にて撮影ユニット部１に取り付け、図３（ｂ）に示す状態にすると、リミットスイッチ６４はＯＦＦとなる。制御部４０はリミットスイッチ６４からの信号が来なくなったことにより、ファイババンドル４が取り付けられたとして、その旨の信号を表示制御部４１に送る。ファイババンドル４が取り付けられている旨の信号を受け取ると、表示制御部４１はモニタ３の画面に表示した文字情報８０を消す。なお、本実施形態では、ファイババンドルが撮影ユニット部１に取り付けられていない旨の情報のみをモニタの画面に表示するものとしているが、反対に取り付けられている旨の情報をモニタの画面に表示することもできる。この場合、両情報を表示することもできるが、少なくとも一方の情報を表示するのみでもよい。
【００１９】
観察像が所望の状態に調整できたら、撮影スイッチ４２を押して静止画像を撮影する。なお、観察時には必要に応じて図２に示したレバー３６を操作することにより、固視標用のＬＥＤ３５を移動させて眼底を誘導し、撮影部位を所望のものとすることができる。
【００２０】
撮影スイッチ４２を押すとフラッシュ光源３１が発光し、フラッシュ光はファイババンドル４を介して撮影ユニット部１に導光される。撮影ユニット部１に導光されたフラッシュ光は、撮影照明光学系を経て被検眼眼底を可視光により照明する。眼底からの反射光は、対物レンズ２１、撮影絞り２２、フォーカシングレンズ２３、結像レンズ２４、ダイクロイックミラー２５を経て、ＣＣＤカメラ２６の撮像面に眼底像を結像する。ＣＣＤカメラ２６で撮影された画像は、表示制御部４１が持つメモリに取り込まれた後、モニタ３に映し出される。撮影画像を保存する場合は、図示なきスイッチ（モニタ３のタッチパネルのスイッチ）を押す。表示制御部４１のメモリに一時的に記憶された画像は、記憶部４３に送られて記憶される。
【００２１】
本実施形態では、ファイババンドル４が撮影ユニット部１に取り付けられているか否かの情報をモニタ３の画面に表示するものとしているが、これに限るものではなく、ファイババンドル４が撮影ユニット部１に取り付けられているか否かの情報を検者に判るように報知できればよい。例えば、撮影ユニット部１側にＬＥＤ等による報知手段を設け、このＬＥＤの点灯のＯＮ／ＯＦＦによって撮影ユニット部１にファイババンドル４が取り付けられているか否かを検者に報知することもできる。また、撮影ユニット部１にファイババンドル４が取り付けられていない場合、制御部によって観察用の照明光を点灯させない制御を行うことにより、撮影ユニット部１にファイババンドル４が取り付けられていないことを報知することもできる。
【００２２】
また、本実施形態では、ファイババンドル４が撮影ユニット部１に取り付けられている場合には、リミットスイッチがＯＦＦ、取り付けられていない場合にはＯＮするものとしているが、反対に、取り付けられているときはリミットスイッチがＯＮ、取り付けられていないときはＯＦＦとする構成とすることもできる。この場合には、図３においてリミットスイッチ６４の設置場所を変更し、シャッタ６３が開いているときにシャッタがリミットスイッチを押し、閉じているときにはリミットスイッチ６４を押さない位置に設置すればよい。
【００２３】
さらに本実施形態では、ファイババンドル４が撮影ユニット部１に取り付けられているか否かをリミットスイッチにて検出するものとしているが、これに限るものではない。フラッシュ光を点灯させずに撮影ユニット部１にファイババンドル４が取り付けられているか否かを検出できる手段であればよく、例えば光学センサや磁気センサ等の検出手段を用いることもできる。
【図面の簡単な説明】
【００２４】
【図１】本実施形態における手持ち式の眼底カメラの概略構成を示した図である。
【図２】本実施形態における手持ち式眼底カメラの光学系を示した図である。
【図３】本実施形態における撮影ユニット部に設けられたファイババンドルの着脱機構を示した図である。
【図４】本実施形態における手持ち式眼底カメラの制御系を示したブロック図である。
【図５】ファイババンドルが接続されていない場合におけるモニタ表示の例を示した図である。
【符号の説明】
【００２５】
１  撮影ユニット部
２  コントロールユニット部
３  モニタ
４  ファイババンドル
５  ノブ
６  ケーブル
４０  制御部
６３  シャッタ
６４  リミットスイッチ
【図１】
2006212102.tif 000003
【図２】
2006212102.tif 000004
【図３】
2006212102.tif 000005
【図４】
2006212102.tif 000006
【図５】
2006212102.tif 000007